(57)【要約】      （修正有）【課題】コンクリート構造物に固定固着させるアンカーボルトにおいて、抜止力を高め、現場作業の安全性と作業効率を向上させ、メンテナンスも容易なアンカーボルトを提供する。【解決手段】アンカーボルトを埋め込む円筒形で直管の穴１から逆円錐形の穴１に変更し確保する。この穴１に伴なうアンカーボルト５は中空７を有するパイプ状のものでその一端にはオスネジ８が外周部に設けられ、対する側には単数又は複数の切り込み６が設けられたボルト５と円錐形のクサビ９とからなるアンカーボルトであり、クサビ９は中間の円筒部と先端がドーム形突起と後端の円錐形状部９とからなることが特長のアンカーボルトであり、切り込み６にクサビ９を差し上記の穴１に押し込むと、扇形又はローと状に押し開かれたボルト５本体が穴１の頂点３に直接固定固着する。【選択図】図１
0003188848.tif 000002
【実用新案登録請求の範囲】
【請求項１】
コンクリート構造物に設けられた逆円錐形の穴１に固定固着させるアンカーボルトであって、そのアンカーボルトは、中空７を有するパイプ状のものであり、その一端にはオスネジ８が外周部に設けられていて、対する側には単数又は複数の切込みが設けられたボルトとクサビ９とからなるアンカーボルトであって、クサビ９は中間に円筒部１０と先端部にはドーム形突起１１とが設けられ後端は円錐形状部９とからなることが特長のアンカーボルト。
【考案の詳細な説明】
【技術分野】
【０００１】  本考案はコンクリート構造物に固定固着させるアンカーボルトに関する。
【背景技術】
【０００２】  従来のコンクリート構造物に設けられたアンカーボルトを埋め込む穴の形状は円筒形の直管であり、使用されるボルトは複雑な構造のものから、単純なボルトを接着剤に頼る間接的固定固着の工法まで多数の特許公開が行われている。しかし、ボルトを埋め込む穴とボルトの形状とが不適合のため確実な効果が上げられない欠点があった。特にクサビを利用した拡開式ボルトではクサビを利用しながら、ボルトを埋め込む穴の形状が円筒形の直管であるためクサビが作用する圧着力だけで構造的抵抗がないため強い力が加わるとボルトはスリップし抜け落ちてしまう問題がある。また単純なボルトを接着剤に頼り、間接的に固定固着させる場合いも同様であり接着剤を使用する場合いには材料の変質、接着効果の消失、対応年数の不明など経年劣化によるボルトの抜け落ちる危険性の高い欠点がある。
【考案が解決しようとする課題】
【０００３】  アンカーボルトでクサビを利用する場合い、クサビが作用する圧着力だけではボルトを埋め込む穴が円筒形の直管であるため穴壁にはボルトに対して抵抗する術はなく、そのため長期の振動により歪みと緩みが生じ強い力が加わるとボルトはスリップし抜け落ちてしまう問題がある。したがってボルトを埋め込む穴はボルトと抵抗し合いスリップを防ぐ形状に変更する必要があり、ボルトも又、穴壁の形状に適合させ、スリップを防ぐ抜止力のある形状に変更することが課題である。
【課題を解決するための手段】
【０００４】  コンクリート構造物に設けられた逆円錐形の穴１に固定固着させる、アンカーボルトであって、そのアンカーボルトは中空７を有するパイプ状のものであり、その一端にはオスネジ８が外周部に設けられていて対する側には単数又は複数の切込み６が設けられたボルトとクサビ９とからなるアンカーボルトであり、クサビ９は中間に円筒部１０と先端部にはドーム形突起１１とが設けられ後端は円錐形状部９とからなることが特長のアンカーボルトである。上記の切り込み６にクサビ９を差し上記の穴１に押し込むと、クサビ９の作用によりボルト５は扇形又はロート状に押し開かれ、穴１の頂点３にボルト５本体が直接固定固着され、クサビ９に設けられた円筒部１０とドーム形突起１１との効果により抜止力が更に強化されることも特長のアンカーボルト。
【考案の効果】
【０００５】以上の説明からも明かなように本考案には次ぎに説明する効果がある。
（１）抜止力のあるアンカーボルト５は、つり金具１４と設置部材の落下を防ぐ。
（２）現場の作業は単純ではあるが安全性は高く、作業時間も短縮され作業効率はよい。
（３）ボルトの後付け施工に見られる危険性と時間のむだはなく、何よりも粉塵の被害を      防ぐことができる。
（４）凝固剤の使用は隙間を埋めるだけではなく、穴内のボルト５とクサビ９の鉄鋼部材      を被覆し錆と腐蝕を防ぎ、外部ボルト５とナット１６の点検だけでメンテナンスが      簡単である。
（５）本考案の構造と施工により従来の後付け施工は不要となり又接着剤に頼る間接的固      定固着の工法も不要となる。
【図面の簡単な説明】
【０００６】
【図１】は本考案の完成断面図であり、その構造を明示する。
【図２】はアンカーボルトの位置に紙管をセットした断面図。
【図３】のＡは中空を有するアンカーボルト本体でクサビ用として複数の切り込みが設けられている正面図でＢはＡの平面図である。
【図４】のＣは中空を有するアンカーボルト本体でクサビ用の切り込みが単数設けられた正面図でＤはＣの平面図である。
【図５】のＡは中空を有するアンカーボルトの断面図でＢはＡの平面図である。
【図６】は円錐形クサビの正面図である。
【図７】は単数切り込みのアンカーボルトが完成時頂点の平面図。
【図８】は複数切り込みのアンカーボルトが完成時頂点の平面図。
【図９】は各部品を所定の位置にセットした構造の断面図。
【考案を実施するための形態】
【０００７】以下図面と符号を基に本考案の実施形態を具体的に説明する。
図１において、アンカーボルト５を埋め込む穴１は開口部２から奥へ拡がる逆円錐形の穴１を確保する。そのためには使用するボルトのサイズに合せた紙管４を作り、作られた紙管４は設計図に記されたボルトの位置、図２の状態でセットした後でコンクリートを打つ。固まった後紙管４を取り除き逆円錐形の穴１を確保する。ここで穴１を確保するための形状物質は紙管だけではなく、発泡スチロールその他コンクリートの圧力に堪えられるものであれば選択は自由であり本考案では紙管４を使用する。
【０００８】上記の穴１に伴アンカーボルト５を埋め込む穴１の形状とボルト５の形状を適合させるため円錐形のクサビ９を使用するものであって、そのボルトは凝固剤が注入できる中空７を有するパイプ状のものであり、その一端にはオスネジ８が外周部に設けられており、対する側には単数又は複数の切り込み６が設けられたボルトとクサビ９とからなるアンカーボルトであり、クサビ９の中間に円筒部１０と先端がドーム形突起１１とが設けられていて後端は円錐形状部９とからなることが特長のアンカーボルトである。
【０００９】上記の切り込み６にクサビ９を差したボルト５を上記の穴１に押し込むとクサビ９の作用により扇形又はロート状に押し開かれたボルト５は穴１の中で互いに抵抗し合い構造的にボルト５本体が直接固定固着する。
この時クサビ９に設けられた円筒部１０とドーム形突起１１の効果により抜止力が更に強化されることも特長のアンカーボルトであり、ボルト５が固定固着した後ボルト５の後孔部７から隙間を埋める凝固剤を注入し隙間が埋まったところで開口部２と後孔部７に流出防止のパッキン具１２と１３を詰め、その後基本部材であるつり金具１４と座金１５の順にセットし、最後にメスネジのナット１６で締める、その後つり金具１４に設置部材が取り付けられるアンカーボルトである。
【００１０】したがって逆円錐形の穴１の中でクサビ９の作用により扇形又はロート状に押し開かれたボルト５が互いに抵抗し合う構造で直接固定固着するためコンクリートが破砕しない限り、構造上抜け落ちることのないアンカーボルトあり、従来のアンカーボルトのような接着剤に頼り間接的に固定固着させる施工を不要とするアンカーボルトである。
【００１１】ここで使用する凝固剤は隙間を埋めるための礎材であってアンカーボルト５を固定固着し荷重を支えようとするものではない。しかし凝固剤はボルト５及びクサビ９の鉄鋼部材を被覆して、空気及び水分を遮断するため錆と腐蝕を防ぎ経年劣化を防止する効果がある。したがって露出している外部ボルト５とナット１６に注意点検するだけでメンテナンスが簡単なアンカーバルトである。
【００１２】紙管４を使用する理由は事前に穴１の確保が先行できることで後付施工による穴１の確保には危険が伴ない時間もかかり粉塵による被害も問題である。紙管を使用することで穴１の確保は容易になり上記の被害も回避され、紙管４の使用範囲は拡く、したがって使用する企業も多くなるアンカーボルトである。
【実施例１】
【００１３】コンクリート構造物であるトンネル工事において天井板又は吸排ダクトを設置するため設けられた逆円錐形の穴１に固定固着させるためのアンカーボルトであってそのアンカーボルト５は中空７を有するパイプ状のものであり、その一端には、オスネジ８が外周部に設けられていて、対する側には単数又は複数の切り込み６が設けられたボルトとクサビ９とからなるアンカーボルト５であって、そのクサビ９の中間に円筒部１０と先端がドーム形突起１１とが設けられ後端は円錐形状部９とからなることが特長のアンカーボルトである。【００１４】上記の切り込み６にクサビ９を差したボルト５を上記の穴１に押し込むと扇形又はロート状に押し開かれたボルト５本体が穴１の頂点３に直接固定固着する。この時クサビ９に設けられた円筒部１０とドーム形突起１１との効果により抜止力が更に強化されることも特長のアンカーボルトであり、構造上抜け落ちることのないアンカーボルトである。【００１５】アンカーボルト５が固定固着後、ボルト５の後孔部７から隙間を埋める凝固剤を注入し埋まった後、開口部２と後孔部７に流出防止のパッキン具１２と１３を詰め、その後基本部材のつり金具１４と座金１５の順にセットし最後にメスネジのナット１６で締める。その後つり金具１４に設置部材の天井板又は吸排ダクトを取り付けられるアンカーボルトであり、ここで使用する凝固剤もアンカーボルト５を固定固着し荷重を支える材料ではなく、穴１の隙間を埋めると共に鉄鋼部材のボルト５とクサビ９を被覆し空気と水分を遮断し、錆と腐蝕を防ぎ外部のボルト５とナット１６の点検だけで済むメンテナンスが簡単なアンカーボルトである。
【実施例２】
【００１６】  コンクリート構造物においては天井板又は吸排ダクトだけできなく横の壁板・標識・掲示板・照明器具など場合いと場所により、アンカーボルト５は上下、左右、斜めと要求される方向性は様々である。しかし施工、プロセスは実施例１と同様であり、いずれの工事においても設計図に記されたアンカーボルト５の位置に穴１が正確に確保されていれば設置部材は簡単に設置することが可能なアンカーボルトである。
【符号の説明】
【００１７】１    逆円錐形の穴であり隙間
２    穴の開口部
３    穴の頂点
４    逆円錐形の紙管
５    アンカーボルト本体
６    クサビの作用を得るための切り込みで単数と複数とがある
７    凝固剤を注入するための中空
８    アンカーボルトの外周部に設けられたオスネジ
９    クサビの円錐形状部
１０  クサビ中間の円筒部
１１  クサビ先端のドーム形突起
１２  開口部２の流出防止パッキン具
１３  ボルト後孔部７の流出防止パッキン具
１４  基本部材のつり金具で設置部材を取り付ける物
１５  座金でアンカーボルトの緩みを阻止するもの
１６  メスネジのナット
１７  天井の壁面
１８  コンクリート内部の鉄筋
１９  コンクリートの形枠組み。
【図１】
0003188848.tif 000003
【図２】
0003188848.tif 000004
【図３】
0003188848.tif 000005
【図４】
0003188848.tif 000006
【図５】
0003188848.tif 000007
【図６】
0003188848.tif 000008
【図７】
0003188848.tif 000009
【図８】
0003188848.tif 000010
【図９】
0003188848.tif 000011